(57)【要約】【課題】加熱消色記録剤が使用されているか否かを適切に判定することができる加熱消色記録剤使用判定用装置及び加熱消色記録剤使用判定装置を提供する。【解決手段】シートＰが載置されるシート載置部１４と、少なくともシートの一部を加熱する加熱手段１５と、前記加熱手段による加熱前後のシート上の画像を読み取る画像読取手段１６とを備えた加熱消色記録剤使用判定用装置において、前記シート載置部に対してシートを固定するシート固定手段２ａ，２ｂを有する。【選択図】図１
2016178365.tif 000002
【特許請求の範囲】
【請求項１】
シートが載置されるシート載置部と、
少なくともシートの一部を加熱する加熱手段と、
前記加熱手段による加熱前後のシート上の画像を読み取る画像読取手段とを備えた加熱消色記録剤使用判定用装置において、
前記シート載置部に対してシートを固定するシート固定手段を有することを特徴とする加熱消色記録剤使用判定用装置。
【請求項２】
請求項１に記載の加熱消色記録剤使用判定用装置において、
前記シート載置部に固定したシートの位置を検知するシート位置検知手段を有することを特徴とする加熱消色記録剤使用判定用装置。
【請求項３】
請求項１または２に記載の加熱消色記録剤使用判定用装置において、
前記画像読取手段で読み取った画像情報を保存する画像情報保存手段を有することを特徴とする加熱消色記録剤使用判定用装置。
【請求項４】
請求項１乃至３のいずれか一記載の加熱消色記録剤使用判定用装置において、
前記シート固定手段は、前記シート載置部にシートの一部分を押さえつけて、該シート載置部に対しシートを固定することを特徴とする加熱消色記録剤使用判定用装置。
【請求項５】
請求項１乃至３のいずれか一記載の加熱消色記録剤使用判定用装置において、
前記シート固定手段は、前記シート載置部にシート全体を押さえつけて、該シート載置部に対しシートを固定することを特徴とする加熱消色記録剤使用判定用装置。
【請求項６】
請求項１乃至３のいずれか一記載の加熱消色記録剤使用判定用装置において、
前記シート固定手段は、静電気によりシートを前記シート載置部に吸着させて固定することを特徴とする加熱消色記録剤使用判定用装置。
【請求項７】
請求項１乃至３のいずれか一記載の加熱消色記録剤使用判定用装置において、
前記シート固定手段は、気流によりシートを前記シート載置部に吸着させて固定することを特徴とする加熱消色記録剤使用判定用装置。
【請求項８】
請求項１乃至７のいずれか一記載の加熱消色記録剤使用判定用装置と、
前記画像読取手段で読み取った加熱前後の画像情報に基づいて、加熱消色記録剤が使用されているか否かを判定する判定手段とを備えたことを特徴とする加熱消色記録剤使用判定装置。
【発明の詳細な説明】
【技術分野】
【０００１】
本発明は、加熱消色記録剤使用判定用装置及び加熱消色記録剤使用判定装置に関するものである。
【背景技術】
【０００２】
従来から、加熱により発色状態から消色状態に移行する加熱消色記録剤たる加熱消色インクを用いたボールペンなどの筆記具が知られている。
【０００３】
例えば、特許文献１には、室温（２５［℃］）では、発色しており、６０［℃］以上で無色となる加熱消色インクを用いたボールペンが記載されている。このボールペンのキャップ部には、摩擦体が設けられており、加熱消色インクでシートである紙に書かれた文字を摩擦体で数回擦ることで、摩擦熱により文字を加熱して６０［℃］以上にすることにより文字を消すことができるようになっている。また、このように文字を消した後、加熱消色インクが室温まで冷やされても、加熱消色インクは発色せず文字が消えたままである。
【発明の概要】
【発明が解決しようとする課題】
【０００４】
加熱消色インクを用いたボールペンで記載されたインク文字は消せるため、文書の承認後に文字を消して書き直すなどの行為が行われるおそれがある。
【０００５】
本願出願人は、シート置き部に置かれたシート上の画像を、加熱手段によるシートの加熱前後で画像読取手段によって読み取り、加熱前後の画像を比較して加熱消色記録剤が使用されているか否かの判定を行う加熱消色記録剤使用判定装置の開発を行っている。しかしながら、画像読取手段によって加熱前後の画像を読み取るときに、シート置き部に置かれたシートの位置が加熱前後でずれていると、画像読取手段で読み取った比較すべき加熱前後の画像の位置もずれてしまい、適切な前記判定を行えなくなってしまう。
【課題を解決するための手段】
【０００６】
上記課題を解決するために、本発明は、シートが載置されるシート載置部と、少なくともシートの一部を加熱する加熱手段と、前記加熱手段による加熱前後のシート上の画像を読み取る画像読取手段とを備えた加熱消色記録剤使用判定用装置において、前記シート載置部に対してシートを固定するシート固定手段を有することを特徴とする。
【発明の効果】
【０００７】
以上、本発明によれば、加熱消色記録剤が使用されているか否かを適切に判定することができるという優れた効果がある。
【図面の簡単な説明】
【０００８】
【図１】構成例１に係る加熱消色インク使用判定装置の斜視図。
【図２】実施形態１に係る加熱消色インク使用判定装置の概略構成図。
【図３】構成例２に係る加熱消色インク使用判定装置の斜視図。
【図４】加熱消色インク使用判定の制御ブロック図。
【図５】実施形態１に係る加熱消色インク使用判定装置における加熱消色インク使用判定制御の一例を示すフローチャート。
【図６】実施形態２に係る加熱消色インク使用判定装置の斜視図。
【図７】構成例３に係る加熱消色インク使用判定装置の概略構成図。
【図８】構成例４に係る加熱消色インク使用判定装置の概略構成図。
【図９】実施形態２に係る加熱消色インク使用判定装置における加熱消色インク使用判定制御の一例を示すフローチャート。
【図１０】実施形態３に係る加熱消色インク使用判定装置の概略構成図。
【図１１】実施形態３に係る加熱消色インク使用判定装置の斜視図。
【図１２】実施形態３に係る加熱消色インク使用判定装置における加熱消色インク使用判定制御の一例を示すフローチャート。
【図１３】（ａ）加熱消色インク判定開始前の表示の一例を示す図、（ｂ）加熱消色インク判定後の表示の一例を示す図。
【図１４】加熱消色インクが使用された部分を拡大表示した操作表示部を示す図。
【図１５】操作表示部の表示の他の例を示す図。
【図１６】画像範囲を指定できるようにした加熱消色インク使用判定の制御フロー図。
【図１７】操作表示部に表示される範囲設定画面の一例を示す図。
【発明を実施するための形態】
【０００９】
［実施形態１］
以下、本発明を、加熱消色記録剤使用判定装置である加熱消色インク使用判定装置に適用した一実施形態について説明する。図２は、実施形態１に係る加熱消色インク使用判定装置１の概略構成図である。加熱消色インク使用判定装置１は、シート保持台１１に対して回動軸１３を中心に開閉可能な上蓋１２を備えている。シート保持台１１の上蓋１２と対向する上面は、シートＰを置くための透明な板状部材で構成されたシート置き部１４となっている。
【００１０】
シート保持台１１内には、シート置き部１４に置かれたシートＰ上の画像を読み取る画像読取部１６が設けられており、この画像読取部１６の下には、シート置き部１４に置かれたシートＰを加熱するための加熱部１５が設けられている。また、シート保持台１１内には、画像読取部１６で読み取った加熱前後の画像情報に基づいて加熱消色インクが使用されているか否かを判定する判定部６ａが設けられている。なお、本実施形態においては、シート保持台１１に判定部６ａを設けたが、必ずしもシート保持台１１に判定部６ａを設ける必要は無い。
【００１１】
加熱消色インクが使用されているか否かの判定結果を報知する報知手段として、上蓋１２の上面にランプ１７や操作表示部５０が設けられており、シート保持台１１の側面にスピーカー１８が設けられている。なお、加熱消色インク使用判定装置１とパーソナルコンピュータとを接続し、ランプ１７やスピーカー１８や操作表示部５０などの報知手段の機能をパーソナルコンピュータ側に持たせても良い。
【００１２】
本実施形態に係る加熱消色インク使用判定装置１においては、加熱部１５と画像読取部１６とをシート保持台１１に設けることで、加熱部１５と画像読取部１６との少なくとも一方を上蓋１２に設けた場合よりも、上蓋１２の軽量化を図ることができる。これにより、ユーザーによる上蓋１２の開閉動作を行い易くしたり、シート保持台１１に対する上蓋１２の可動部分（回動軸１３）にかかる負荷を小さくし壊れ難くしたりすることができる。
【００１３】
［構成例１］
図１は、構成例１に係る加熱消色インク使用判定装置１の斜視図である。本構成例に係る加熱消色インク使用判定装置１においては、シート置き部１４に対してシートＰを固定するシート固定手段として、図１に示すように、シートＰの一部分を押さえる押さえ部材であるベルト状の押さえバンド２ａ，２ｂを有している。押さえバンド２ａ，２ｂは、シート置き部１４上におけるシートＰの対角線上にある二隅の角部と対応する位置に設けられている。この押さえバンド２ａ，２ｂは、長手方向両端部がシート置き部１４に固定されており、シート置き部１４と対向する側の側面である内面がシート置き部１４の表面と接触している。そして、この押さえバンド２ａ，２ｂとシート置き部１４との間にシートＰの角部を差し込むことで、シートＰの前記角部が押さえバンド２ａ，２ｂによって押さえられシート置き部１４にシートＰが固定される。なお、シート置き部１４上におけるシートＰの四隅と対応する位置に前記押さえバンドをそれぞれ設けても良い。
【００１４】
このように、シートＰの前記角部を押さえバンド２ａ，２ｂで押さえて、シート置き部１４にシートＰを固定することにより、画像読取部１６によってシートＰの加熱前後の画像を読み取るときに、加熱前後でシートＰの位置がずれてしまうのを抑制することができる。これにより、画像読取部１６によって読み取った加熱前画像と加熱後画像との比較を適切に行うことができ、加熱消色インクが使用されているか否かの判定精度を高めることができる。
【００１５】
また、シート置き部１４に対してシートＰを固定するために、シートＰの角部を押さえる押さえ部材としては、例えば板状のマグネットを用いてもよい。この場合、少なくともシート置き部１４の周縁を磁性を有する金属板で構成しておく。これにより、シート置き部１４上にシートＰを置いた後、そのシートＰの角部にマグネットを載せることで、シートＰを挟んでマグネットがシート置き部１４の金属板に貼り付き、シート置き部１４に対してシートＰを固定することができる。
【００１６】
［構成例２］
図３は、構成例２に係る加熱消色インク使用判定装置１の斜視図である。図３に示す加熱消色インク使用判定装置１においては、透明な長方形のシート状部材であるクリアシート３における２つの長辺と回動軸側の短辺それぞれの縁を、シート置き部１４に固定している。そして、クリアシート３におけるシート置き部１４に固定されていない回動軸１３とは反対側の短辺側から、シート置き部１４とクリアシート３との間にシートＰを入れ、シート置き部１４とクリアシート３とでシートＰを挟み込む。これにより、シート全体がクリアシート３によって押さえられ、より確実にシート置き部１４に対してシートＰを固定することができる。
【００１７】
なお、前述したようなクリアシート３の代わりに、クリアファイル状の透明な固定部材をシート置き部１４上に設置し、クリアファイル内にシートＰを入れる要領で前記固定部材にシートＰを入れることで、シートＰを固定する構成も採用することができる。
【００１８】
図４は、加熱消色インク使用判定の制御ブロック図である。図４に示すように、加熱消色インク使用判定装置１は、不揮発性記憶手段たるメモリ５が設けられている。このメモリ５には、画像読取部１６が読み取った加熱前画像データが保存される加熱前画像情報保存部５ａと、画像読取部１６が読み取った加熱後画像が保存される加熱後画像情報保存部５ｂとを有している。
【００１９】
加熱消色インクが使用されていないと判定されたときは、加熱前画像情報保存部５ａに保存された加熱前画像データと、加熱後画像情報保存部５ｂに保存された加熱後画像データとが消去される。一方、加熱消色インクが使用されていると判定されたときは、加熱前画像データと加熱後画像データとが、そのまま保存される。このように、加熱消色インクが使用されていると判定されたとき、加熱前画像データと加熱後画像データとが消去されずにメモリ５に保存されるので、このメモリ５に保存されたこれら画像データを、加熱消色インクが使用された証拠として用いることができる。
【００２０】
また、加熱消色インクで記載された文字は、加熱することで消えてしまうが、加熱消色インクが使用されていると判定されたとき、加熱前画像データを消去せずにメモリ５に保存しておくことで、加熱で消えた画像を確認することができる。また、加熱して消えた文字などを、加熱消色インク以外のインクを用いた筆記具で再度、記載しなおす必要が生じることもある。特に、加熱消色インクを用いて、長文を記載した場合は、加熱消色インク以外のインクを用いた筆記具で再度、記載しなおすのは、大変な手間となる。しかし、消去せずにメモリ５に加熱前画像データを保存しておくことで、この加熱前画像データをプリンタなどに送信してプリントすることができる。これにより、加熱消色インク以外のインクを用いた筆記具で再度、記載しなおすなどの手間が生じることがない。また、プリンタで形成された画像は、加熱に消色することがない。
【００２１】
また、加熱消色インク使用判定装置１は、加熱部１５の加熱制御などの装置全体の制御を行う制御部６を有している。この制御部６には、加熱前画像と加熱後画像とを比較して、加熱消色インクが使用されたか否かの判定を行う判定部６ａを有している。制御部６は、判定部６ａで判定した結果に基づいて、判定結果報知部としての操作表示部５０を制御して、後述するような結果表示を行う。また、判定結果報知部としてのランプ１７を点灯させたり、発音手段たるスピーカー１８で警告音を発生させたりする。
【００２２】
図５は、実施形態１に係る加熱消色インク使用判定装置１における加熱消色インク使用判定制御の一例を示すフローチャートである。まず、ユーザーが、加熱消色インク使用判定を行うシートＰを、判定対象の画像が形成された面をシート置き部１４側に向けて、前述したように押さえバンド２ａ，２ｂまたはクリアシート３によって押さえてシート置き部１４に固定する（Ｓ１）。そして、シート保持台１１に対し上蓋１２を閉じた後、シートＰ上の画像を画像読取部１６で読み取る（Ｓ２）。このように画像読取部１６で読み取られた加熱前画像データが、メモリ５の加熱前画像情報保存部５ａに保存される（Ｓ３）。
【００２３】
その後、加熱部１５をＯＮし加熱部１５によってシートＰを加熱する（Ｓ４）。この加熱部１５は、加熱消色インクが消色する温度（例えば、６０［℃］）以上でシートＰを加熱できるように制御されている。これにより、シートＰに加熱消色インクを用いて記載された画像は、加熱部１５の加熱で消色する。加熱部１５によるシートＰの加熱が開始されてから、予め設定された加熱消色インクが熱により消色し得る所定時間が経過したタイミングで、シートＰ上の画像を画像読取部１６で読み取る（Ｓ５）。画像読取部１６により読み取られた加熱後画像データは、メモリ５の加熱後画像情報保存部５ｂに保存される（Ｓ６）。また、画像読取部１６が加熱後画像を読み取ったら、加熱部１５をＯＦＦする。
【００２４】
制御部６は、画像読取部１６が加熱前画像を読み取ったら、判定部６ａで読み取った加熱前画像データを色分解する。分解するモードとしては、ＲＧＢモード、ＣＭＹＫモードのどちらのモードでもよい。次に、色分解された各色の画像データについて、２値化して黒（画素値１）の画素数を算出する。また、画像読取部１６が加熱後画像を読み取ったら、判定部６ａで読み取った加熱後画像データを色分解し、各色の画像データについて、２値化して黒の画素数を算出する。そして、判定部６ａで各色毎に加熱前画像データの黒の画素数から加熱後画像データの黒の画素数を差し引いて各色について、差分Ｓを算出する（Ｓ７）。この差分Ｓは、黒（画素値１）から白（画素値０）に変化した画素数であり、加熱前後で変化した画素数を表している。
【００２５】
次に、判定部６ａは各色について、差分Ｓと、加熱前の画像データの黒の画素数とを用いて変化度Ｒ（％）を算出する（変化度Ｒ（％）＝（差分Ｓ／加熱前の画像の黒の画素数）×１００）。この変化度Ｒは、加熱前後で黒（画素値１）から白（画素値０）へと変化した画素の割合である。算出した各色の変化度Ｒが設定された判定閾値Ｔを越えているか否かをチェックする（Ｓ８）。本実施形態では、判定閾値Ｔを５［％］とした。
【００２６】
加熱消色インクで記載された画像は、加熱部１５により加熱されたことで消えている。よって、加熱消色インクが使用されていた場合は、加熱後画像データの黒の画素数が、加熱前画像データの黒の画素数よりも少なくなっている。したがって、変化度Ｒが大きくなり、変化度Ｒが判定閾値Ｔを超える。一方、加熱消色インクが使用されていない場合は、加熱前後で同じ画像である。したがって、加熱後画像データの黒の画素数は、加熱前画像データの黒の画素数とほぼ同じである。よって、変化度Ｒは≒０であり、判定閾値Ｔ以下となる。よって、算出した各色の変化度Ｒのうち、ひとつでも判定閾値Ｔを越えている場合（Ｓ８でＹｅｓ）、判定部６ａは加熱消色インクが使用されていると判定する（Ｓ９）。一方、算出した各色の変化度Ｒすべてが判定閾値Ｔ以下の場合（Ｓ８でＮｏ）、判定部６ａは加熱消色インクが使用されていないと判定する（Ｓ１０）。
【００２７】
また、判定閾値Ｔを、ユーザーにより任意に設定可能としてもよい。例えば、報告書など、加熱消色インクが用いられる可能性がある箇所が全体画像の半分以上あるような場合は、判定閾値Ｔを大きくしても精度のよい判定を行うことができる。一方、請求書や契約書など、全体の画像に対して、加熱消色インクが使用される可能性がある箇所が占める割合が少ない場合、判定閾値Ｔを小さく設定しないと、正しく判定できないおそれがある。そのため、判定閾値Ｔを、ユーザーにより任意に設定可能とすることで、判定する書類に応じた最適な判定閾値Ｔを設定することができ、より利便性の高い装置を提供することができる。
【００２８】
また、本実施形態では、加熱前後の画像データをそれぞれ色分解して各色毎に加熱消色インクの使用を判定しているが、色分解は行わずに、２値化して黒の画素数を算出してもよい。また、本実施形態では、変化度Ｒ（差分Ｓが加熱前の画像の画素数に対する割合）を用いて、加熱消色インクの使用を判定しているが、変化した画素数を示す差分Ｓに基づいて加熱消色インクの使用を判定してもよい。また、本実施形態では、２値化した画像データのうち黒（画素値１）の画素数に基づいて、変化した画素数を把握しているが、２値化した画像データのうち白（画素値０）の画素数に基づいて、変化した画素数を把握してもよい。この場合は、加熱後の白の画素数から加熱前の白の画素数を差し引くことで、差分Ｓ（加熱前後で変化した画素数）を算出することができる。
【００２９】
制御部６は、加熱消色インクが使用されていないと判定部６ａが判定した場合、メモリ５の各画像情報保存部に保存された判定したシートＰに対応する加熱前画像データと、加熱後画像データとを消去する。一方、加熱消色インクが使用されていると判定部６ａが判定した場合は、操作表示部５０を制御して使用者に加熱消色インクが使用されていることを報知する。また、ランプ１７を点灯制御したり、スピーカー１８で警告音を発生させたりして、使用者に加熱消色インクが使用されていることを報知する。また、加熱前画像情報保存部５ａに保存された加熱前画像データと、加熱後画像情報保存部５ｂに保存された加熱後画像データとを消去せずに、そのままメモリ５に保存しておく。
【００３０】
本実施形態では、シートＰに記載された文字などの画像が、加熱消色インクにより記載されたものか否かを判定することができる。そのため、例えば、書類に記載された内容の承認を行う承認者は、書類を承認する前に書類を加熱消色インク使用判定装置１にセットして、加熱消色インクを使用されたか否かの判定を行う。そして、加熱消色インクが使用されていないと判定された書類のみ承認するようにすることができる。
【００３１】
なお、加熱消色インクが使用されたか否かは、記載された文字などを擦って文字に摩擦熱を加えることで、加熱消色インクで記載された文字は消え、加熱消色インクが使用されたか否かを判定することができる。しかし、承認者が、書類一枚一枚について、記載された文字を擦って加熱消色インクが使用されたか否かを調べるのは煩雑であり、手間がかかる作業である。特に、大量の書類を承認する場合には、大変煩雑な作業となる。これに対し、加熱消色インク使用判定装置１を用いることで、承認者は、承認する書類をシート置き部１４に置いて上蓋１２の開閉を行うだけで、承認する書類に加熱消色インクが使用されたか否かを把握することができる。よって、手間をかけずに加熱消色インクが使用されたか否かを把握することができる。
【００３２】
［実施形態２］
以下に、本発明を、加熱消色記録剤使用判定装置である加熱消色インク使用判定装置に適用した第二の実施形態（以下、実施形態２という）について説明する。なお、実施形態２に係る加熱消色インク使用判定装置１の基本的な構成のうち、実施形態１に係る加熱消色インク使用判定装置１と共通する構成については、その説明は省略する。
【００３３】
図６は、実施形態２に係る加熱消色インク使用判定装置１の斜視図である。図６に示すように、本実施形態に係る加熱消色インク使用判定装置１においては、シート置き部１４にシートＰを固定するためのシート固定手段４がシート保持台１１内に設けられている。上蓋１２の上面には、ランプ１７やスピーカー１８や操作表示部５０などの報知手段が設けられている。また、上蓋１２の回動軸側に加熱部１５を設けており、上蓋１２の先端側にカメラなどの画像読取部１６を設けている。加熱部１５によるシートＰの加熱は、シート保持台１１に対して上蓋１２を閉じた状態で行われる。また、シート保持台１１に対して上蓋１２が開かれた状態で、シート保持台１１のシート置き部１４に置かれたシートＰの画像を、画像読取部１６によって撮影し読み取る。
【００３４】
なお、上蓋１２に設けた画像読取部１６でシート全面を撮影し画像を読み取る場合には、画像読取部１６によるシートＰ上の画像の読取位置が一定していないと、画像の読み取り精度が悪化してしまう。そこで、図６に示すように、シート保持台１１に対する上蓋１２の位置（シート保持台１１に対する上蓋１２の開閉角度θ）を検知する位置検知センサ２０を、回動軸１３近傍に設ける。これにより、シート保持台１１に対する上蓋１２の位置を位置検知センサ２０で検知して、シート保持台１１に対して上蓋１２が一定の位置（例えば前記開閉角度θが７０度になった位置）で、画像読取部１６によりシート全面を撮影し画像を読み取る。このことで、画像読取部１６によるシートＰ上の画像の読取位置が一定出ない場合よりも、画像の読み取り精度を向上させることができる。なお、位置検知センサ２０としては、例えば、ロータリーエンコーダを用いることができるが、これに限るものではなく、シート保持台１１に対する上蓋１２の位置（シート保持台１１に対する上蓋１２の開閉角度θ）を検知できるものであれば良い。
【００３５】
また、加熱消色インク使用判定装置１においては、図６に示すようにシート保持台１１に対する上蓋１２の開閉状態を検知する上蓋開閉検知センサ３０を設けても良い。この上蓋開閉検知センサ３０は、シート保持台１１に対して上蓋１２が開いた状態では、上蓋１２と接触しておらずシート置き部１４から上方に突出しており、シート保持台１１に対して上蓋１２が開いた状態であると検知している。一方、シート保持台１１に対して上蓋１２が閉じられると、上蓋１２により上蓋開閉検知センサ３０がシート保持台１１内に押し込まれ、シート保持台１１に対して上蓋１２が閉じた状態であると検知される。そして、上蓋開閉検知センサ３０により上蓋１２が閉じた状態を検知したら、加熱部１５による加熱を開始する。これにより、シート保持台１１に対して上蓋１２が閉じた状態以外で加熱部１５による加熱が開始されないようにすることができる。
【００３６】
本実施形態に係る加熱消色インク使用判定装置１においては、シート保持台１１に対して上蓋１２を開いた状態で、シート保持台１１のシート置き部１４に置かれたシートＰと、上蓋１２に設けられた加熱部１５との間の距離を稼ぐことができる。これにより、連続して異なるシートＰに対して加熱消色インク使用判定を行う場合、先のシートＰの判定後に加熱部１５が熱くなっていても、シート置き部１４に置かれた次のシートＰの画像が、その熱の影響を受けない。そのため、次のシートＰの加熱前画像が、画像読取部１６で読み取られる前に消色するのを抑制することができる。
【００３７】
［構成例３］
図７は、構成例３に係る加熱消色インク使用判定装置１の概略構成図である。図７に示す加熱消色インク使用判定装置１においては、シート固定手段４として電極４１と電源４２とを有している。電極４１はシート保持台１１に設けられており、その電極４１にプラス電圧を電源４２から印加することでシート置き部１４の表面をプラス電荷で帯電させる。そして、このようにプラス電荷で帯電させたシート置き部１４の表面上にシートＰを置くことで、誘電体であるシートＰのシート置き部１４側の表層に誘電分極によってマイナス電荷が誘起される。これにより、シート置き部１４のプラス電荷と、シートＰのマイナス電荷とによって発生しうる静電的な力によって、シート置き部１４にシートＰが吸着し固定される。よって、シート置き部１４にシートＰを置くだけ、静電的な力によりシートＰがシート置き部１４に吸着し固定されるため、シート置き部１４にシートＰを固定する作業の簡便化を図ることができる。
【００３８】
［構成例４］
図８に示す加熱消色インク使用判定装置１においては、シート固定手段４として、シート置き部１４に沿って３つの吸気ファン４３ａ，４３ｂ，４３ｃがシート保持台１１内に設けられている。そして、シート置き部１４にあけられ複数の通気孔１４ａを通して空気を吸い込むような吸い込み気流を吸気ファン４３ａ，４３ｂ，４３ｃによって発生させる。これにより、シート置き部１４にシートＰを置くことで、吸気ファン４３ａ，４３ｂ，４３ｃにより発生させた吸い込み気流によって、シート置き部１４にシートＰが吸着し固定される。よって、シート置き部１４にシートＰを置くだけ、前記吸い込み気流によりシート置き部１４にシートＰが吸着し固定されるため、シート置き部１４にシートＰを固定する作業の簡便化を図ることができる。
【００３９】
図９は、実施形態２に係る加熱消色インク使用判定装置１における加熱消色インク使用判定制御の一例を示すフローチャートである。まず、ユーザーが、加熱消色インク使用判定を行うシートＰを、判定対象の画像が形成された面を上蓋１２側に向けてシート置き部１４に置き、前述したような静電的な力または吸い込み気流によって、シート置き部１４にシートＰを固定する（Ｓ１）。そして、ユーザーが上蓋１２を閉じていき、位置検知センサ２０によってシート保持台１１に対する上蓋１２の開閉角度θが所定角度（７０度）となった位置で、シートＰ上の画像を画像読取部１６で読み取る（Ｓ２）。このように画像読取部１６で読み取られた加熱前画像データが、メモリ５の加熱前画像情報保存部５ａに保存される（Ｓ３）。
【００４０】
その後、上蓋１２が閉じられていき、シート保持台１１に対して上蓋１２が閉じた状態であると上蓋開閉検知センサ３０によって検知されたら（Ｓ４）、加熱部１５をＯＮし加熱部１５によってシートＰを加熱する（Ｓ５）。この加熱部１５は、加熱消色インクが消色する温度（例えば、６０［℃］）以上でシートＰを加熱できるように制御されている。これにより、シートＰに加熱消色インクを用いて記載された画像は、加熱部１５の加熱で消色する。加熱部１５によりシートＰが加熱された後、上蓋１２を開いていき、位置検知センサ２０によって前記開閉角度θが所定角度（７０度）となった位置で、シートＰ上の画像を画像読取部１６で読み取る（Ｓ６）。画像読取部１６により読み取られた加熱後画像データは、メモリ５の加熱後画像情報保存部５ｂに保存される（Ｓ７）。なお、上蓋１２を開いていき、シート保持台１１に対して上蓋１２が開いた状態であると上蓋開閉検知センサ３０によって検知されたら、加熱部１５をＯＦＦする。
【００４１】
制御部６は、画像読取部１６が加熱前画像を読み取ったら、判定部６ａで読み取った加熱前画像データを色分解する。分解するモードとしては、ＲＧＢモード、ＣＭＹＫモードのどちらのモードでもよい。次に、色分解された各色の画像データについて、２値化して黒（画素値１）の画素数を算出する。また、画像読取部１６が加熱後画像を読み取ったら、判定部６ａで読み取った加熱後画像データを色分解し、各色の画像データについて、２値化して黒の画素数を算出する。そして、判定部６ａで各色毎に加熱前画像データの黒の画素数から加熱後画像データの黒の画素数を差し引いて各色について、差分Ｓを算出する（Ｓ８）。
【００４２】
次に、判定部６ａは各色について、差分Ｓと、加熱前の画像データの黒の画素数とを用いて変化度Ｒ（％）を算出する（変化度Ｒ（％）＝（差分Ｓ／加熱前の画像の黒の画素数）×１００）。そして、算出した各色の変化度Ｒが設定された判定閾値Ｔを越えているか否かをチェックする（Ｓ９）。本実施形態では、判定閾値Ｔを５［％］とした。算出した各色の変化度Ｒのうち、ひとつでも判定閾値Ｔを越えている場合（Ｓ９でＹｅｓ）、判定部６ａは加熱消色インクが使用されていると判定する（Ｓ１０）。一方、算出した各色の変化度Ｒすべてが判定閾値Ｔ以下の場合（Ｓ９でＮｏ）、判定部６ａは加熱消色インクが使用されていないと判定する（Ｓ１１）。
【００４３】
制御部６は、加熱消色インクが使用されていないと判定部６ａが判定した場合、メモリ５の各画像情報保存部に保存された判定したシートＰに対応する加熱前画像データと、加熱後画像データとを消去する。一方、加熱消色インクが使用されていると判定部６ａが判定した場合は、操作表示部５０を制御して使用者に加熱消色インクが使用されていることを報知する。また、ランプ１７を点灯制御したり、スピーカー１８で警告音を発生させたりして、使用者に加熱消色インクが使用されていることを報知する。また、加熱前画像情報保存部５ａに保存された加熱前画像データと、加熱後画像情報保存部５ｂに保存された加熱後画像データとを消去せずに、そのままメモリ５に保存しておく。
【００４４】
［実施形態３］
以下に、本発明を、加熱消色記録剤使用判定装置である加熱消色インク使用判定装置に適用した第三の実施形態（以下、実施形態３という）について説明する。なお、実施形態３に係る加熱消色インク使用判定装置１の基本的な構成のうち、実施形態１に係る加熱消色インク使用判定装置１と共通する構成については、その説明を適宜省略する。
【００４５】
図１０は、実施形態３に係る加熱消色インク使用判定装置１の概略構成図である。加熱消色インク使用判定装置１のシート保持台１１の上面は、シートＰを置くためのシート置き部１４となっている。シート保持台１１内でシート置き部１４の下には、シート置き部１４に置かれたシートＰを加熱するための加熱部１５が設けられている。また、シート保持台１１からシート置き部１４の上方に延びた上部筐体１２には、シート置き部１４に置かれたシートＰの画像を上から読み取る画像読取部１６が設けられている。
【００４６】
ここで、本実施形態に係る加熱消色インク使用判定装置１のように、シートＰの上方（離れた場所）から画像読取部１６によって画像を読み取る構成では、加熱前後の画像の比較を行うために、シート置き部１４に対するシートＰの位置を特定する必要がある。シート置き部１４に対するシートＰの位置を特定する方法の一例としては、画像読取部１６によりシート置き部１４上に置かれたシートＰのエッジ部分を検知して、シート置き部１４に対するシートＰの位置を特定する。
【００４７】
なお、シート置き部１４の表面の色を予めメモリ５などに登録しておくことで、シート置き部１４の表面の色とシートＰの色との違いから、シートＰのエッジ部分を容易に検知することができる。一方、シート置き部１４の表面の色と、シートＰの色とが同一である場合でも、後述するようにシートＰがシート置き部１４に固定されていれば、加熱前後での画像比較を精度良く行うことができる。
【００４８】
また、シート保持台１１内には、画像読取部１６で読み取った加熱前後の画像情報に基づいて加熱消色インクが使用されているか否かを判定する判定部６ａを有する制御部６が設けられている。なお、本実施形態においては、シート保持台１１に判定部６ａを設けたが、必ずしもシート保持台１１に判定部６ａを設ける必要は無い。
【００４９】
加熱消色インクが使用されているか否かの判定結果を報知する報知手段として、シート保持台１１の上部筐体１２には操作表示部５０が設けられており、シート保持台１１の側面にランプ１７とスピーカー１８とが設けられている。なお、加熱消色インク使用判定装置１とパーソナルコンピュータとを接続し、ランプ１７やスピーカー１８や操作表示部５０などの報知手段の機能をパーソナルコンピュータ側に持たせても良い。
【００５０】
図１１は、実施形態３に係る加熱消色インク使用判定装置１の斜視図である。図１１に示すように本実施形態に係る加熱消色インク使用判定装置１においても、図１に示した加熱消色インク使用判定装置１と同様に、シート置き部１４上におけるシートＰの対角線上にある二隅の角部と対応する位置にベルト状の押さえバンド２ａ，２ｂを設けている。そして、この押さえバンド２ａ，２ｂとシート置き部１４との間にシートＰの角部を差し込むことで、シートＰの前記角部が押さえバンド２ａ，２ｂによって押さえられシート置き部１４にシートＰが固定される。
【００５１】
このように、シートＰの前記角部を押さえバンド２ａ，２ｂで押さえて、シート置き部１４にシートＰを固定することで、画像読取部１６によってシートＰの加熱前後の画像を読み取るときに、加熱前後でシートＰの位置がずれてしまうのを抑制することができる。よって、画像読取部１６によって読み取った加熱前画像と加熱後画像との比較を適切に行うことができ、加熱消色インクが使用されているか否かの判定精度を高めることができる。
【００５２】
なお、本実施形態に係る加熱消色インク使用判定装置１において、シート置き部１４にシートＰを固定するシート固定手段としては、実施形態１で説明したような、クリアシート３によりシート全体を押さえて固定する構成を採用してもよい。また、静電的な力によりシートＰをシート置き部１４に吸着させ固定する構成や、吸い込み気流によってシート置き部１４にシートＰを吸着させ固定する構成なども採用することができる。
【００５３】
図１２は、実施形態３に係る加熱消色インク使用判定装置１における加熱消色インク使用判定制御の一例を示すフローチャートである。まず、ユーザーが、加熱消色インク使用判定を行うシートＰを、判定対象の画像が形成された面を画像読取部１６側に向けてシート載置部１４に置き、シートＰの前記角部を押さえバンド２ａ，２ｂによって押さえて、シート置き部１４にシートＰを固定する（Ｓ１）。そして、ユーザーが操作表示部５０に表示された読み取り開始ボタン５０ａを押すことで、シートＰ上の画像が画像読取部１６によって読み取られる（Ｓ２）。このように画像読取部１６で読み取られた加熱前画像データが、メモリ５の加熱前画像情報保存部５ａに保存される（Ｓ３）。
【００５４】
その後、加熱部１５をＯＮし加熱部１５によってシートＰを加熱する（Ｓ４）。この加熱部１５は、加熱消色インクが消色する温度（例えば、６０［℃］）以上でシートＰを加熱できるように制御されている。これにより、シートＰに加熱消色インクを用いて記載された画像は、加熱部１５の加熱で消色する。加熱部１５によるシートＰの加熱が開始されてから、予め設定された加熱消色インクが熱により消色し得る所定時間が経過したタイミングで、シートＰ上の画像を画像読取部１６で読み取る（Ｓ５）。画像読取部１６により読み取られた加熱後画像データは、メモリ５の加熱後画像情報保存部５ｂに保存される（Ｓ６）。また、画像読取部１６が加熱後画像を読み取ったら、加熱部１５をＯＦＦする。
【００５５】
制御部６は、画像読取部１６が加熱前画像を読み取ったら、判定部６ａで読み取った加熱前画像データを色分解する。分解するモードとしては、ＲＧＢモード、ＣＭＹＫモードのどちらのモードでもよい。次に、色分解された各色の画像データについて、２値化して黒（画素値１）の画素数を算出する。また、画像読取部１６が加熱後画像を読み取ったら、判定部６ａで読み取った加熱後画像データを色分解し、各色の画像データについて、２値化して黒の画素数を算出する。そして、判定部６ａで各色毎に加熱前画像データの黒の画素数から加熱後画像データの黒の画素数を差し引いて各色について、差分Ｓを算出する（Ｓ７）。
【００５６】
次に、判定部６ａは各色について、差分Ｓと、加熱前の画像データの黒の画素数とを用いて変化度Ｒ（％）を算出する（変化度Ｒ（％）＝（差分Ｓ／加熱前の画像の黒の画素数）×１００）。そして、算出した各色の変化度Ｒが設定された判定閾値Ｔを越えているか否かをチェックする（Ｓ８）。本実施形態では、判定閾値Ｔを５［％］とした。算出した各色の変化度Ｒのうち、ひとつでも判定閾値Ｔを越えている場合（Ｓ８でＹｅｓ）、判定部６ａは加熱消色インクが使用されていると判定する（Ｓ９）。一方、算出した各色の変化度Ｒすべてが判定閾値Ｔ以下の場合（Ｓ８でＮｏ）、判定部６ａは加熱消色インクが使用されていないと判定する（Ｓ１０）。
【００５７】
制御部６は、加熱消色インクが使用されていないと判定部６ａが判定した場合、メモリ５の各画像情報保存部に保存された判定したシートＰに対応する加熱前画像データと、加熱後画像データとを消去する。一方、加熱消色インクが使用されていると判定部６ａが判定した場合は、操作表示部５０を制御して使用者に加熱消色インクが使用されていることを報知する。また、ランプ１７を点灯制御したり、スピーカー１８で警告音を発生させたりして、使用者に加熱消色インクが使用されていることを報知する。また、加熱前画像情報保存部５ａに保存された加熱前画像データと、加熱後画像情報保存部５ｂに保存された加熱後画像データとを消去せずに、そのままメモリ５に保存しておく。
【００５８】
図１３は、操作表示部５０の表示の一例を示す図である。図１３（ａ）は、加熱消色インク判定開始前の表示の一例を示す図であり、図１３（ｂ）は、加熱消色インク判定後の表示の一例を示す図である。
【００５９】
実施形態１、２及び３に係る加熱消色インク使用判定装置１において、例えば、ユーザーがシートＰをシート置き部１４に置くと、図１３（ａ）に示すような画像が操作表示部５０に表示され、加熱消色インク判定動作が開始可能となる。そして、読み取り開始ボタン５０ａを押すことで、または、上蓋１２の開閉動作を行うことで、上述したようにして、加熱前画像と加熱後画像とが画像読取部１６により読み取られ、上述した判定部６ａで加熱消色インクが使用されたか否かが判定される。上述した判定部６ａで判定が行われると、図１３（ｂ）に示すように、操作表示部５０に判定結果が表示される。消色インクが使用されていた場合は、「消色あり」と表示するとともに、読み取られた加熱前画像と加熱後画像とが表示される。このように、操作表示部５０に加熱前画像と加熱後画像とを表示することにより、加熱前画像と加熱後画像との差異を確認でき、シートＰのどこの部分に加熱消色インクが使用されていたかを把握することができる。この図１３（ｂ）に示す例では、金額の記載に加熱消色インクが使用されていたことが確認できる。
【００６０】
また、図１３（ｂ）に示す例では、消色部分拡大ボタンを表示し、ユーザーがそのボタンにタッチすると、図１４に示すように、操作表示部５０の加熱前画像と加熱後画像とを表示する箇所に、加熱消色インクが使用された部分が拡大表示される。例えば、加熱消色インクが使用された箇所が一部で、図１３（ｂ）に示す加熱前画像と、加熱後画像の全体表示からでは、加熱消色インクが使用された箇所を把握するのが困難な場合がある。このとき、ユーザーは、消色部分拡大ボタン５０ｂにタッチして、図１４に示すように、加熱消色インクが使用された部分を拡大表示させることで、加熱消色インクが使用された箇所を容易に把握することができる。
【００６１】
また、加熱消色インクが使用されていた場合、読み取った加熱前画像データや加熱後画像データは、メモリ５から消去されず、そのまま保存される。そして、操作表示部５０を操作することにより、メモリ５に保存された加熱前画像データや加熱後画像データを表示して内容を確認することができる。しかし、加熱消色インクが使用されているか否かを判定する書類が機密文書などであり、第３者に見られると問題となる場合もある。よって、図１５に示すように、操作表示部５０に、保存設定画像を表示し、ユーザーに読み取った画像をメモリ５に保存するか否かを設定できるようにしてもよい。
【００６２】
判定する書類が機密文書などで、第三者に見られると問題となる書類の場合は、ユーザーは、保存設定画像５０ｃの「ＯＦＦ」ボタンをタッチする。これにより、判定部６ａで加熱消色インクが使用されたと判定された場合でも、判定後にメモリ５の各画像情報保存部に保存された加熱前画像データや加熱後画像データが消去される。これにより、文書の機密を、保持して、加熱消色インクが使用されたか否かを判定することができる。また、加熱消色インクの使用を判定する範囲を指定できるようにしてもよい。
【００６３】
図１６は、画像範囲を指定できるようにした加熱消色インク使用判定の制御フロー図である。まず、ユーザーが、操作表示部５０を操作して画像範囲指定モードを実行する。また、加熱消色インク使用判定装置１がパーソナルコンピュータに接続して使用される場合は、パーソナルコンピュータにインストールされたアプリケーションソフトから画像範囲指定モードを実行する。画像範囲指定モードが実行されたら、制御部６は、操作表示部５０やパーソナルコンピュータの画面に、範囲指定するシートＰをシート置き部１４に置いて上蓋１２を閉じる旨の指示を表示する。ユーザーがシート置き部１４に範囲指定するシートＰを置いて上蓋１２を閉じると、シートＰ上の画像が画像読取部１６に読み取られる。なお、このとき、加熱部１５はＯＦＦとなっている。そして、画像読取部１６で読み取られた画像が、操作表示部５０やパーソナルコンピュータの画面に表示される。
【００６４】
図１７は、操作表示部５０に表示される範囲設定画面の一例である。図１７に示すように、読み取られた範囲指定する画像が表示されるとともに、指定範囲設定画面５０ｄが表示される。読み取られた範囲指定する画像上には、指定枠５０ｆも表示されている。ユーザーは、指定範囲設定画面５０ｄの『□』に数値を入力して、範囲指定を行う。指定範囲設定画面の『上』は、指定枠５０ｆの上端の位置に対応し、指定範囲設定画面の『下』は、指定枠５０ｆの下端の位置に対応する。また、指定範囲設定画面の『右』は、指定枠５０ｆの右端の位置に対応し、指定範囲設定画面の『左』は、指定枠５０ｆの左端の位置に対応する。例えば、指定範囲設定画面の『上』の『□』に表示されている『９８』よりも大きな数値を入力すると、指定枠５０ｆの上端の位置が上方へと移動し、指定枠５０ｆの上下方向範囲が広がる。
【００６５】
図１６に戻って、範囲指定する画像と指定枠５０ｆとを確認しながら、指定範囲設定画面『□』に数値を入力し、判定する画像範囲を指定する（Ｓ１１）。判定する画像範囲の指定が終わったら、ユーザーは指定終了ボタン５０ｅをタッチする。制御部６は、指定終了ボタン５０ｅが押されたら、範囲指定する画像と、指定範囲（入力された上下左右の値）とを関連づけて、不揮発性メモリに記憶する。これにより、次回、同じ書類について、加熱消色インクの使用判定を行う場合は、範囲設定の作業を省略できる。
【００６６】
なお、図１７では、画素数（ピクセル）で位置を指定しているが、用紙基準端部からの長さ（ｍｍ）で位置を指定するようにしてもよい。また、画素で設定するか、長さで設定するかを、ユーザーが選択できるようにしてもよい。
【００６７】
このように、判定する画像範囲を指定したら、上述したようにして画像読取部１６により加熱前画像と加熱後画像とを読み取る（Ｓ１２、Ｓ１３）。この際、画像読取部１６によって読み取られる画像範囲は、指定した画像範囲である。これにより、読み取り画像のデータを少なくすることができる。次に、判定部６ａで、各色の差分Ｓを算出する（Ｓ１４）。この場合、加熱前後の画像データを色分解したり、２値化して画素数を算出したりする所定の画像処理を行うが、画像データが少ないため、演算負荷が少なくてすみ、すばやく差分Ｓを算出することができる。
【００６８】
次に、算出した差分Ｓに基づいて変化度Ｒを算出し、変化度Ｒが判定閾値Ｔを超えるか否かをチェックする（Ｓ１５）。この場合も判定する画像範囲を指定しているため、加熱使用インクの検出の感度を上げることができる。先の図１７に示すように、指定した画像範囲は、全体の画像データの１０［％］に満たない範囲である。しかも、図１７に示した画像においては、加熱消色インクが使用されるおそれがあるのは、『￥』の横の金額を記入する欄であり、指定した画像範囲よりも全体の画像データに占める割合は小さい。その結果、書類の記載内容によっては、加熱消色インクが使用されていたとしても、その変化度Ｒが数［％］となるおそれもある。
【００６９】
一方、判定する画像範囲を指定することにより、加熱消色インクが使用されるおそれがある箇所が占める割合を大きくすることができる。その結果、加熱消色インクが使用されていた場合、その変化度Ｒが大きくなる。これにより、加熱使用インクの検出の感度を高めることができ、精度のよい判定を行うことができる。
【００７０】
算出した各色の変化度Ｒのうち、ひとつでも判定閾値Ｔを越えている場合（Ｓ１５でＹｅｓ）、判定部６ａは加熱消色インクが使用されていると判定する（Ｓ１６）。一方、算出した各色の変化度Ｒすべてが判定閾値Ｔ以下の場合（Ｓ１５でＮｏ）、判定部６ａは加熱消色インクが使用されていないと判定する（Ｓ１７）。
【００７１】
以上に説明したものは一例であり、本発明は、次の態様毎に特有の効果を奏する。
（態様Ａ）
シートＰなどのシートが載置されるシート置き部１４などのシート載置部と、少なくともシートの一部を加熱する加熱部１５などの加熱手段と、前記加熱手段による加熱前後のシート上の画像を読み取る画像読取部１６などの画像読取手段とを備えた加熱消色記録剤使用判定用装置において、前記シート載置部に対してシートを固定する押さえバンド２ａ，２ｂなどのシート固定手段を有する。
（態様Ａ）においては、シート固定手段によってシート載置部にシートを固定するので、加熱手段によるシートの加熱前後で、シート載置部に置かれたシートの位置がずれるのを抑制することができる。これにより、画像読取手段によって加熱前後のシート上の画像を読み取るときに、画像読取手段で読み取った比較すべき加熱前後の画像の位置がずれるのを抑制することができる。よって、画像読取手段で読み取った加熱前後の画像を比較して、加熱消色記録剤が使用されているか否かを適切に判定することが可能となる。
（態様Ｂ）
（態様Ａ）において、前記シート載置部に固定したシートの位置を検知する画像読取部１６などを用いたシート位置検知手段を有する。これによれば、上記実施形態について説明したように、シート位置検知手段として画像読取部１６などを用いてシート載置部上に置かれたシートのエッジ部分を検知することで、加熱前後のシートの画像を比較をするために、シートの位置を特定することができる。
（態様Ｃ）
（態様Ａ）または（態様Ｂ）において、前記画像読取手段で読み取った画像情報を保存するメモリ５などの画像情報保存手段を有する。これによれば、上記実施形態について説明したように、加熱前画像情報や加熱後画像情報の内容を後で確認することが可能となる。
（態様Ｄ）
（態様Ａ）乃至（態様Ｃ）のいずれかにおいて、押さえバンド２ａ，２ｂなどの前記シート固定手段は、前記シート載置部にシートの一部分を押さえつけて、当該シート載置部に対しシートを固定する。これによれば、上記実施形態について説明したように、簡易な構成でシート載置部に対しシートを固定することができる。
（態様Ｅ）
（態様Ａ）乃至（態様Ｃ）のいずれかにおいて、クリアシート３などの前記シート固定手段は、前記シート載置部にシート全体を押さえつけて、当該シート載置部に対しシートを固定する。これによれば、上記実施形態について説明したように、より確実にシートをシート載置部に固定することができる。
（態様Ｆ）
（態様Ａ）乃至（態様Ｃ）のいずれかにおいて、電極４１や電源４２などを用いた前記シート固定手段は、静電気によりシートを前記シート載置部に吸着させて固定する。これによれば、上記実施形態について説明したように、シート載置部にシートを固定する作業の簡便化を図ることができる。
（態様Ｇ）
（態様Ａ）乃至（態様Ｃ）のいずれかにおいて、吸気ファン４３ａ，４３ｂ，４３ｃなどの前記シート固定手段は、気流によりシートを前記シート載置部に吸着させて固定する。これによれば、上記実施形態について説明したように、シート載置部にシートを固定する作業の簡便化を図ることができる。
（態様Ｈ）
加熱消色インク使用判定装置１などの加熱消色記録剤使用判定装置において、（態様Ａ）乃至（態様Ｇ）のいずれかの加熱消色記録剤使用判定用装置と、前記画像読取手段で読み取った加熱前後の画像情報に基づいて、加熱消色記録剤が使用されているか否かを判定する判定部６ａなどの判定手段とを備える。これによれば、上記実施形態について説明したように、加熱消色記録剤の使用判定を適切に行うことができる。
【符号の説明】
【００７２】
１      加熱消色インク使用判定装置
２ａ    押さえバンド
２ｂ    押さえバンド
３      クリアシート
４      シート固定手段
５      メモリ
５ａ    加熱前画像情報保存部
５ｂ    加熱後画像情報保存部
６      制御部
６ａ    判定部
１１    シート保持台
１２    上蓋
１３    回動軸
１４    シート置き部
１４ａ  通気孔
１５    加熱部
１６    画像読取部
１７    ランプ
１８    スピーカー
１９    上部筐体
４１    電極
４２    電源
４３ａ  吸気ファン
４３ｂ  吸気ファン
４３ｃ  吸気ファン
５０    操作表示部
５０ａ  読み取り開始ボタン
５０ｂ  消色部分拡大ボタン
５０ｃ  保存設定画像
５０ｄ  指定範囲設定画面
５０ｅ  指定終了ボタン
５０ｆ  指定枠
【先行技術文献】
【特許文献】
【００７３】
【特許文献１】特開２００６−１２３３２４号公報
【図１】
2016178365.tif 000003
【図２】
2016178365.tif 000004
【図３】
2016178365.tif 000005
【図４】
2016178365.tif 000006
【図５】
2016178365.tif 000007
【図６】
2016178365.tif 000008
【図７】
2016178365.tif 000009
【図８】
2016178365.tif 000010
【図９】
2016178365.tif 000011
【図１０】
2016178365.tif 000012
【図１１】
2016178365.tif 000013
【図１２】
2016178365.tif 000014
【図１３】
2016178365.tif 000015
【図１４】
2016178365.tif 000016
【図１５】
2016178365.tif 000017
【図１６】
2016178365.tif 000018
【図１７】
2016178365.tif 000019